(57)【要約】   【課題】従来の保温サポーターは、外気温により冷やされにくい効果はあるが、体温以上には温めることが出来なかった。また従来の収納袋の中に使い捨てカイロを入れて使用するタイプのサポーターは使い捨てでカイロを再利用できず、カイロ購入代がかかりコスト高になる。さらに従来の保冷保温パッドは、身体の保温、保冷させる部位が間接部外面のコーナー部のみに特定されてしまっていたのでコーナー部以外の患部の保温、保冷が出来なかった。  【解決手段】保温性を有し伸縮性のある外層生地と、熱伝導性がよく伸縮性のある内層生地と、前記外層生地と前記内層生地とを貼り合わせて構成したサーモポケットと、ポケットに挿入してまた取り出しができるサーモスティックと、前記外層生地に取り付けた着脱部と前記内層生地に取り付けた着脱部とが着脱可能な着脱部からなる保温材または保冷材装着式サポーター【選択図】    図６
2011017095.tif 000002
【特許請求の範囲】
【請求項１】
保温性を有し伸縮性のある外層生地と、熱伝導性がよく伸縮性のある内層生地と、前記外層生地と前記内層生地とを貼り合わせて構成したサーモポケットと、ポケットに挿入してまた取り出しができるサーモスティックと、前記外層生地に取り付けた着脱部と前記内層生地に取り付けた着脱部とが着脱可能な着脱部からなる保温材または保冷材装着式サポーター。
【請求項２】
サーモスティックを形成する容器はフッ素、EPDMゴム、シリコン、エピクロロヒドリンゴム、オレフィン系熱可塑性エラストマー、スチレン系熱可塑性エラストマー、ポリプロピレンのいずれかからなる請求項１記載の保温材または保冷材装着式サポーター。
【請求項３】
電子レンジで加熱可能な請求項１または請求項２記載の保温材または保冷材装着式サポーター。
【請求項４】
サーモスティックを装着するサーモポケットを持ち、環状にして使用することが出来る請求項１ないし請求項３のいずれかに記載の保温材または保冷材装着式サポーター。
【発明の詳細な説明】
【技術分野】
【０００１】
本発明は、保温材または保冷材を装着して使用するサポーターに関するものである。
【背景技術】
【０００２】
従来の保温サポーターは、保温性の良い材質を選ぶことによって保温目的を達成していた。（例えば、特許文献１参照）
また、サポーターに収納袋を設けて、収納袋の中に使い捨てカイロを入れて使用していたものもある。（例えば、特許文献２参照）
さらに可とう性を有するプラスティック製袋体と、この製袋体に封入された保冷・保温材からなる保冷保温パッドは肩、肘、膝等の間接部外面あるいは踵部外面等のコーナー部位を温めたり冷やしたり出来るものであった。（例えば、特許文献３参照）
【先行技術文献】
【特許文献】
【０００３】
【特許文献１】特開２００３−２０５６４号公報（段落０００７に記載）
【特許文献２】実開平１−６２８２０（図面の簡単な説明に記載）
【特許文献３】特開２００２−２８２２９５号公報（段落０００７に記載）
【発明の概要】
【発明が解決しようとする課題】
【０００４】
しかしながら従来の保温サポーターは、外気温により冷やされにくい効果はあるが、体温以上には温めることが出来なかった。また従来の収納袋の中に使い捨てカイロを入れて使用するタイプのサポーターは使い捨てでカイロを再利用できず、カイロ購入代がかかりコスト高になる。さらに従来の保冷保温パッドは、身体の保温、保冷させる部位が間接部外面のコーナー部のみに特定されてしまっていたのでコーナー部以外の患部の保温、保冷が出来なかった。
【課題を解決するための手段】
【０００５】
本発明は、このような従来の問題を解決しようとするもので、体温以上に温めることやカイロを再利用すること、さらに患部の保温、保冷ができる保温材または保冷材装着式サポーターを提供することを目的とする。本発明は保温性を有し伸縮性のある外層生地と、熱伝導性がよく伸縮性のある内層生地と、前記外層生地と前記内層生地とを貼り合わせて構成したサーモポケットと、ポケットに挿入してまた取り出しができるサーモスティックと、前記外層生地に取り付けた着脱部と前記内層生地に取り付けた着脱部とが着脱可能な着脱部からなる請求項１記載の保温材または保冷材装着式サポーター。
【０００６】
サーモスティック容器はフッ素、EPDMゴム、シリコン、エピクロロヒドリンゴム、オレフィン系熱可塑性エラストマー、スチレン系熱可塑性エラストマー、ポリプロピレンからなる請求項２記載の保温材または保冷材装着式サポーター。
【０００７】
保温材または保冷材装着式サポーターは電子レンジで加熱可能な請求項３記載の保温材または保冷材装着式サポーター。
【０００８】
保温材または保冷材装着式サポーターはサーモスティックを装着できるポケットを持った請求項４記載の保温材または保冷材装着式サポーター。
【０００９】
保温材または保冷材装着式サポーターはサーモスティックを装着するポケットを少なくとも２つ以上持った請求項５記載の保温材または保冷材装着式サポーター。
【発明の効果】
【００１０】
本発明は、体温以上の温度を与えて身体を温めることが可能である。また本発明は保温材または保冷材を何度でも繰り返して使用でき、保温材または保冷材を購入するコストを抑えることができる。さらに本発明は、保温、保冷させる部位が間接部外面のみに限定されず任意の部位を保温または保冷することが出来る。
【図面の簡単な説明】
【００１１】
【図１】保温材または保冷材装着式サポーター１０の展開した状態
【図２】図１の保温材または保冷材装着式サポーター１０を両端から押した状態
【図３】サーモスティック３の構造図
【図４】図４は図３のサーモスティック３のＡ−Ａ断面図
【図５】図５は保温材または保冷材装着式サポーター１０にサーモポケット６の一つおきにサーモスティック３を挿入した状態の展開図
【図６】図６は図５の展開された保温材または保冷材装着式サポーター１０を身体などに巻き付ける状態
【図７】図７は保温材または保冷材装着式サポーター１０を身体などに取り付けた状態
【図８】図８は保温材または保冷材装着式サポーター１０にサーモスティック３を挿入する状態
【図９】図８のＡ−Ａ断面図
【発明を実施するための形態】
【００１２】
本発明の保温材または保冷材装着式サポーターは四肢身体へ巻きつけるタイプのサポーターである。この本発明の保温材または保冷材装着式サポーターについて実施例を図面に基づき説明する。
【００１３】
図１は保温材または保冷材装着式サポーター１０の展開した状態を示しており、外層生地１と内層生地２を重ね合わせた構造になっている。外層生地１は外部への放熱がしにくい材質を用いており、内層生地２は、内側に熱が伝わりやすい材質を用いている。外層生地１と内層生地２は電子レンジで加熱しても溶けたり燃えたりしない耐熱性が高く発熱しにくい材質で構成されている。また外層生地１と内層生地２は伸縮性があり、丸めやすく身体へ密着しやすい柔軟性のある構造になっている。たとえばゴムスポンジやナイロン繊維、アラミド繊維、ポリイミド繊維、綿やポリエステルなどの生地を用いると良い。
さらに外層生地１と内層生地２は貼り合わせ部７で縫製や接着、溶着などの方法で貼り合わされている。貼り合わせ部７は、図１に示すように間隔を設けられ、サーモポケット６を構成している。
【００１４】
図２は図１の保温材または保冷材装着式サポーター１０を両端から押した状態（矢印１１と矢印１２の方向から押した状態）を示す。両端を押された力によってサーモポケット６が開口した状態を示している。サーモポケット６は、図３に示すサーモスティック３を装着できる大きさになっている。
【００１５】
図３はサーモスティック３の構造図である。サーモスティック３は熱を蓄えられる蓄熱材８を内包するための容器１８と、蓄熱材を密封するための蓋１９および蓄熱材８で構成される。
容器１８と蓋１９はフッ素やシリコン、ＥＰＤＭゴムやヒドリンゴム、オレフィン系熱可塑性エラストマー、ポリプロピレンなどの耐熱性を有する樹脂で構成され、保温性の高い蓄熱材８（たとえばステアリン酸やパラフィン、ポリエチレングリコールなど）を減圧して封入し、蓋１９で封印している構造になっている。容器１８は、耐熱性の高い樹脂でつくられるため、加熱したときの強度が強く、従って薄肉化が可能である。よって同一外径の容器と比較すると蓄熱材８の容量を増やすことが出来、保温性を高く維持することが可能である。図３のサーモスティック３は、細長い棒状で、図２のサーモポケット６に挿入して装着しやすい形状になっており、また引き抜くことが可能である。
図３のサーモスティック３は、電子レンジで加熱できる構造になっている。
【００１６】
図４は図３のサーモスティック３のＡ−Ａ断面図であり、容器１８の中に蓄熱材８を封入した状態を示す。
【００１７】
図５は保温材または保冷材装着式サポーター１０にサーモポケット６を一つおき  に設けて、サーモポケット６にサーモスティック３を挿入した状態の展開図を示す。外層生地１と内層生地２の貼り合わせ部７を縫製で結合した状態を示している。外層生地１の貼り合わせ部７の縫い目シロに沿った端部Ａに面ファスナー４が取り付けられており、内層生地２の貼り合わせ部７の縫い目シロに沿った端部Ｂに面ファスナー５が取り付けられている。サーモスティック３は外層生地１と内層生地２で構成されるサーモポケット６に装着するが外層生地１の保温性が高いため、外部に熱を逃がさないので温度をより長時間に亘り保持することが出来る。
【００１８】
図６は図５の展開された保温材または保冷材装着式サポーター１０を身体などに巻き付ける状態をしめす。保温材または保冷材装着式サポーター１０は腕や膝、足などに巻き付け、面ファスナー４と面ファスナー５を重ね合わせて取り付けることが出来る。サーモスティック３が発生する熱は内層生地２を通じて身体に伝えられる。
【００１９】
図７は保温材または保冷材装着式サポーター１０を身体などに取り付けた状態を示す。
大腿部取付状態１３は身体の大腿部に保温材または保冷材装着式サポーター１０を巻きつけた状態を示す。
膝下部取付状態１４は身体の膝下に保温材または保冷材装着式サポーター１０を巻きつけた状態を示す。
頸部取付状態１５は身体の頸部に保温材または保冷材装着式サポーター１０を巻きつけた状態を示す。
上腕部取付状態１６は身体の上腕部に保温材または保冷材装着式サポーター１０を巻きつけた状態を示す。
腹部取付状態１７は身体の腹部に保温材または保冷材装着式サポーター１０を巻きつけた状態を示す。
【００２０】
図８は保温材または保冷材装着式サポーター１０のサーモポケット６にサーモスティック３を挿入する状態を示す。図９は図８のＡ−Ａ断面図である。図８の、貼り合わせ部７で構成されるサーモポケット６は底部貼り合わせ部９で袋状になり、サーモスティック３を挿入したときに抜け出ない構造になっている。サーモポケット６はサーモスティック３を挿入できる大きさであるが、逆さにしても重力では落ちない密着性を持たせている。
【００２１】
保温材または保冷材装着式サポーター１０として保温材について説明してきたが、図３に示す蓄熱材８を保冷材に変えて封入することによって、保温材を保冷材に変えて使用することが出来る。その保冷材は冷蔵庫などで冷却して繰り返し使用することが可能である。
【符号の説明】
【００２２】
１・・・外層生地
２・・・内層生地
３・・・サーモスティック
４・・・面ファスナー
５・・・面ファスナー
６・・・サーモポケット
７・・・貼り合わせ部
８・・・蓄熱材
９・・・底部貼り合わせ部
１０・・・保温材または保冷材装着式サポーター
１１・・・矢印
１２・・・矢印
１３・・・大腿部取付状態
１４・・・膝下取付状態
１５・・・頸部取付状態
１６・・・上腕部取付状態
１７・・・腹部取付状態
１８・・・容器
１９・・・蓋
Ａ・・・端部Ａ
Ｂ・・・端部Ｂ  
【図１】
2011017095.tif 000003
【図２】
2011017095.tif 000004
【図３】
2011017095.tif 000005
【図４】
2011017095.tif 000006
【図５】
2011017095.tif 000007
【図６】
2011017095.tif 000008
【図７】
2011017095.tif 000009
【図８】
2011017095.tif 000010
【図９】
2011017095.tif 000011